(57)【特許請求の範囲】
【請求項１】
レンズを保持する保持部材と、
その保持部材に一端がそれぞれ固定された第１−第４導電性弾性部材と、
前記保持部材が移動可能となるように前記第１−第４導電性弾性部材の他端をそれぞれ固定する固定部材とを具え、
その固定部材が、
前記第１及び第２導電性弾性部材の他端が固定される第１及び第２溝が形成された面を有する第１配置部材と、
その第１配置部材の面に重ね合わされる第１面及び前記第３及び第４導電性弾性部材の他端が固定される第３及び第４溝が形成された第２面を有する第２配置部材とを有し、
前記第１及び第２溝に前記第１及び第２導電性弾性部材をそれぞれ固定した後に、前記第１配置部材の面に前記第２配置部材の第１面を重ね合わせるように前記第１配置部材に第２配置部材を載せ置くことによって組み立て可能な構成としたことを特徴とする光学系駆動装置。
【請求項２】
前記固定部材が、前記第２配置部材の第２面に重ね合わされる面を有する第３配置部材を更に有し、
前記第２配置部材の第２面に前記第３配置部材の面を重ね合わせるように前記第２配置部材に前記第３部材を載せ置くことによって組み立て可能な構成としたことを特徴とする請求項１記載の光学系駆動装置。
【請求項３】
互いに隣接する配置部材及びこれら配置部材の間に存在する導電性弾性部材によって、ダンピング用ゲルを充填するための空間を形成したことを特徴とする請求項１又は２記載の光学系駆動装置。
【発明の詳細な説明】
【０００１】
【発明の属する技術分野】
本発明は、情報の記録及び／又は再生を光学的に行う光学式記録再生装置に設けられる光学系駆動装置に関するものである。
【０００２】
【従来の技術】
このような光学系駆動装置は、レンズを保持する保持部材と、その保持部材に一端が固定される導電性弾性部材（ワイヤ、サスペンション等）と、保持部材が移動可能となるように第１−第４導電性弾性部材の他端をそれぞれ固定する固定部材とを具え、例えば、特開平５−２１７１７５号公報及び特開平８−２６３８６５号公報に記載されている。
【０００３】
上記特開平５−２１７１７５号公報に記載された光学系駆動装置は、ワイヤの一端を固定するための溝が上下に形成された固定部材を具える。この場合、ワイヤの一端を固定部材に固定するために、ワイヤの一端を、対応する溝にそれぞれセットし、それをクランプしている。
【０００４】
それに対して、上記特開平８−２６３８６５号公報に記載された光学系駆動装置は、サスペンションの一端を固定するための溝が上下に形成された固定部材としてのベースを具える。この場合、サスペンションの一端のベースの対応する溝への固定を、接着剤によって行っている。
【０００５】
【発明が解決しようとする課題】
しかしながら、上記特開平５−２１７１７５号公報に記載された光学系駆動装置では、ワイヤの一端を固定するための溝を固定部材の上下に形成しているので、固定部材の上方からワイヤをセットする場合、組立中に固定部材を裏返す必要があり、装置組立の作業性が良好でない。なお、それ以外の方法でワイヤをセットすると、作業が複雑となり、その結果、装置組立の作業性が悪化する。また、固定部材の上下の溝に配置されたワイヤを共通のワイヤ押さえで固定するようにしているが、この場合、ワイヤを作業中に保持するためにジグなどが必要となり、装置組立の作業性が更に悪化する。
【０００６】
上記特開平８−２６３８６５号公報に記載された光学系駆動装置でも、サスペンションの一端を固定するための溝をベースの上下に形成しているので、装置組立の作業性が良好でない。
【０００７】
本発明の目的は、組立の作業性が良好な光学系駆動装置を提供することである。
【０００８】
【課題を解決するための手段】
本発明による請求項１記載の光学系駆動装置は、
レンズを保持する保持部材と、
その保持部材に一端がそれぞれ固定された第１−第４導電性弾性部材と、
前記保持部材が移動可能となるように前記第１−第４導電性弾性部材の他端をそれぞれ固定する固定部材とを具え、
その固定部材が、
前記第１及び第２導電性弾性部材の他端が固定される第１及び第２溝が形成された面を有する第１配置部材と、
その第１配置部材の面に重ね合わされる第１面及び前記第３及び第４導電性弾性部材の他端が固定される第３及び第４溝が形成された第２面を有する第２配置部材とを有し、
前記第１及び第２溝に前記第１及び第２導電性弾性部材をそれぞれ固定した後に、前記第１配置部材の面に前記第２配置部材の第１面を重ね合わせるように前記第１配置部材に第２配置部材を載せ置くことによって組み立て可能な構成としたことを特徴とするものである。
【０００９】
請求項１記載の光学系駆動装置によれば、装置組立の際に、第１配置部材、第１及び第２導電性弾性部材、第２配置部材並びに第３及び第４導電性弾性部材を順に配置するだけでよいので、装置を裏返す必要がなく、装置の片側から組み立てることができ、その結果、装置組立の作業性が良好になる。
【００１０】
本発明による請求項２記載の光学系駆動装置は、
前記固定部材が、前記第２配置部材の第２面に重ね合わされる面を有する第３配置部材を更に有し、
前記第２配置部材の第２面に前記第３配置部材の面を重ね合わせるように前記第２配置部材に前記第３部材を載せ置くことによって組み立て可能な構成としたことを特徴とするものである。この場合も、第３及び第４導電性弾性部材の次に配置するだけでよいので、装置組立の作業性が良好になる。
【００１１】
本発明による請求項３記載の光学系駆動装置は、互いに隣接する配置部材及びこれら配置部材の間に存在する導電性弾性部材によって、ダンピング用ゲルを充填するための空間を形成したことを特徴とするものである。このような空間は配置部材と導電性弾性部材を順に配置するだけで形成することができるので、装置組立の作業性を良好に維持しながら良好なダンピング特性を得ることができる。
【００１２】
【発明の実施の形態】
本発明による光学系駆動装置の実施の形態を、図面を参照して詳細に説明する。
図１は、本発明による光学系駆動装置の第１の実施の形態の斜視図であり、図２は、本発明による光学系駆動装置の第１の実施の形態の分解斜視図である。
【００１３】
このような光学系駆動装置は、レンズ１を保持する保持部材２と、その保持部材２に一端がそれぞれ固定された４本のワイヤ３ａ−３ｄと、保持部材２が移動可能となるようにワイヤ３ａ−３ｄの他端をそれぞれ固定する固定部材４とを具える。
【００１４】
保持部材２は、レンズ１を固定したレンズホルダ５と、そのレンズホルダ５に固定され、駆動用のフォーカスコイル６及びトラッキングコイル７ａ，７を有するボビン８とを具える。
【００１５】
ワイヤ３ａ−３ｄを、例えば、直径０．１０ｍｍのベリリウム銅製ワイヤとする。固定部材４は、磁石９を固定した鉄製のアクチュエータベース１０と、そのアクチュエータベース１０の上に重ね合わされるとともにワイヤ３ａ，３ｂの他端を配置する面を有する第１ばね受１１と、その第１ばね受１１の面に重ね合わされる第１面及びワイヤ３ｃ，３ｄの他端が配置される第２面を有する第２ばね受１２と、前記第２配置部材の第２面に重ね合わされる面を有する第３ばね受１３とを具える。
【００１６】
このような構成によって、レンズホルダ５は、４本のワイヤ３ａ−３ｄによって、図示しない光学的に記録及び／又は再生可能な円板形状の媒体（例えば、光ディスク）の面に対して垂直方向（３次元座標系のＺ方向）及びその半径方向（Ｘ方向）に移動可能に支持される。
【００１７】
フォーカスコイル６は、ボビン８に巻線され、それにトラッキングコイル７ａ，７ｂが固定される。ここで、フォーカスコイル６を空芯コイルとしてレンズホルダ５に直接固定する代わりに、ボビン８に巻線を行うことによって、フォーカスコイル６の変形による内側の磁石９への干渉を防止することができる。
【００１８】
ボビン８の両端には位置決め用の基準ピン８ａ，８ｂが設けられ、レンズホルダ５の受部５ａ，５ｂに当て付けることによって、磁石９、フォーカスコイル６及びトラッキングコイル７ａ，７ｂの位置ずれを最小に抑制することができる。
【００１９】
４本のワイヤ３ａ−３ｄは、図３及び図４に示すように、第１−第３ばね受１１−１３によって挟み込み及び固定される。詳しく説明すると、ワイヤ３ａ，３ｂを、レンズホルダ５のワイヤ固定用の溝１４ａ，１４ｂ及び第１ばね受１１のワイヤ固定用の溝１１ａ，１１ｂにそれぞれ配置した状態で溝１１ａ，１１ｂに接着剤を塗布し、第１ばね受１１の上に第２ばね受１２を載せ置く。これによって、ワイヤ３ａ，３ｂは第１ばね受１１及び第２ばね受１２によって固定される。
【００２０】
次いで、ワイヤ３ｃ，３ｄを、レンズホルダ５のワイヤ固定用の溝１４ｃ，１４ｄ及び第２ばね受１２のワイヤ固定用の溝１２ａ，１２ｂにそれぞれ配置した状態で溝１２ａ，１２ｂに接着剤を塗布し、第２ばね受１２の上に第３ばね受１３を載せ置く。これによって、ワイヤ３ｃ，３ｄは第２ばね受１２及び第３ばね受１３によって固定される。
【００２１】
ワイヤ３ａ−３ｄを配置する前に溝１１ａ，１１ｂ，１２ａ，１２ｂにそれぞれ接着剤を塗布することもできる。溝１１ａ，１１ｂ，１２ａ，１２ｂに対する接着剤として、紫外線硬化及び熱硬化の性質を有するものを使用し、接着剤がはみ出した部分に紫外線を照射することによって迅速に硬化させ、紫外線を照射できない部分を加熱によって硬化させる。接着剤として、紫外線硬化及び嫌気性硬化の性質を有するものを使用することもできる。
【００２２】
第１ばね受１１は、第２ばね受１２及び第３ばね受１３の位置決めを正確に行うための基準ピン１３ａ，１３ｂを有する。第２ばね受１２は、基準ピン１３ａを挿入すべき基準穴１５ａと、間隔の誤差を吸収するための基準ピン１３ｂを挿入すべき長穴１５ｂとを有する。同様に、第３ばね受１３は、基準ピン１３ａを挿入すべき基準穴１６ａと、間隔の誤差を吸収するための基準ピン１３ｂを挿入すべき長穴１６ｂとを有する。これら基準穴１５ａ，１６ａ及び長穴１５ｂ，１６ｂに基準ピン１３ａ，１３ｂをそれぞれ嵌め合わせることによって、正確な位置決めを行うことができる。
【００２３】
このようにして第１−第３ばね受１１−１３が固定されると、ワイヤ３ａ−３ｄの周辺に空間１７ａ−１７ｄが形成される（図５において空間１７ａ，１７ｃのみ示す。）。これら空間１７ａ−１７ｄにそれぞれゲル（例えばシリコンゲル）１８を充填する。空間１７ａ−１７ｄは、第１又は第３ばね受１１又は１３、第２ばね受１２及びワイヤ３ａ−３ｄのうちの１本によって包囲されているので、充填したゲル１８が外部に流出するおそれがなく、その結果、確実にダンピング効果が得られる。
【００２４】
空間１７ａ，１７ｂへのシリコン１８の充填は、第１及び第２ばね受１１及び１２によって形成された充填穴１９ａ，１９ｂ（図１において１９ａのみ示す。）から行い、空間１７ｃ，１７ｄへのシリコン１８の充填は、第３ばね受１３に設けられた充填穴１９ｃ，１９ｄから行う。
【００２５】
保持部材２と、ワイヤ３ａ−３ｄを固定した第１−第３ばね受１１−１３とは、アクチュエータベース１０に固定される。アクチュエータベース１０は基準穴２０ａ，２０ｂ（図２に基準穴２０ａのみを示す。）を有し、これら基準穴２０ａ，２０ｂには、第１ばね受１１の基準ピン２１ａ，２１ｂがそれぞれ嵌め合わされ、保持部材２及び第１−第３ばね受１１−１３が正確な位置に取り付けられる。
【００２６】
ワイヤ３ａ−３ｄを保持部材２すなわちレンズホルダ５に固定するために、レンズホルダ５の溝付きの突起部２１ａ−２１ｄにワイヤ３ａ−３ｄの一端をそれぞれ載せ置き、紫外線硬化の性質を有する接着剤を突起部２１ａ−２１ｄに塗布し、これによってワイヤ３ａ−３ｄを突起部２１ａ−２１ｄにそれぞれ固定する。
【００２７】
フォーカスコイル６及びトラッキングコイル７ａ，７ｂからワイヤ３ａ−３ｄへの給電を行うために、レンズホルダ５に形成された４箇所の溝２２ａ−２２ｄ（図1において、溝２２ａ，２２ｃ，２２ｄのみを示す。）から各コイルの巻き始め及び巻き終わりの端末を出し、突起部２１ａ−２１ｄに対してワイヤごとに絡げ半田を行う。
【００２８】
絡げは、各コイルの端末の先端を半田めっき（予備半田）し、ワイヤ３ａ−３ｄを突起部２１ａ−２１ｄにそれぞれ１回以上巻き、半田付けを行う。このように突起部２１ａ−２１ｄをワイヤ３ａ−３ｄと共に絡げることによって、ワイヤ３ａ−３ｄの先端部の半田による共振の発生を防止する。
【００２９】
レンズホルダ１２を、耐熱性の高い２種類のＬＣＰ（液晶ポリマ）によって構成し、作業を迅速に行うことによって、レンズホルダ１２が溶けるおそれがなくなる。また、各コイルを銅線によって構成することによって、予備半田した部分の断線を防止する。
【００３０】
ワイヤ３ａ−３ｄの接着時に第１−第３ばね受１１−１３をジグによって押さえ付けることができるように、第２ばね受１２の上面形状を図６に示すようにして、第１ばね受１１のジグ押さえ付け部分２２を確保し、これによって、ワイヤ３ａ−３ｄの固定を更に正確に行うことができる。
【００３１】
このように構成された光学系駆動装置の動作を説明する。
図示しない光学系から出射したレーザ光は、レンズ１の下側に配置された図示しないミラーによって反射され、レンズ１によって図示しない媒体上にスポットを形成する。媒体からの反射光は、再びレンズ１及びミラーを経て光学系に戻され、フォーカスエラー、トラッキングエラー及び記録信号の検出が行われる。フォーカスエラー及び／又はトラッキングエラーが検出されると、ワイヤ３ａ−３ｄを通じてフォーカスコイル６及びトラッキングコイル７ａ，７ｂに電流を流すことによって、レンズホルダ５を所定の方向に駆動する。このようにして、レンズ１及びそれを有するレンズホルダ５は、フォーカス制御及びトラッキング制御される。
【００３２】
本実施の形態では、第１−第３ばね受１１−１３を用いることによって、単一のばね受を用いた従来の光学系駆動装置に比べてワイヤ固定作業を簡略化することができる。
【００３３】
単一のばね受を用いた場合、ワイヤの直径とほぼ同一の穴にワイヤを通した後に接着作業を行う。例えば、直径が０．１０ｍｍのベリリウム銅によって構成したワイヤの場合、直径０．１１−０．１５ｍｍの穴にワイヤを通す必要がある。その際にワイヤがばね受に当たり、ワイヤが折れ曲がるおそれがある。このように折れ曲がったワイヤは当然不良品となる。また、直径０．１１−０．１５ｍｍの穴にワイヤを通す作業は非常に困難であり、作業に熟練が必要となる。しかしながら、本実施の形態では、ワイヤを穴に通す必要がなく、すなわち、ワイヤ３ａ−３ｄを第１及び第２ばね受１１，１２に載せ置くだけでよく、その結果、作業が簡単になるので、良好な作業性が得られる。
【００３４】
また、第１のばね受１１にワイヤ３ａ，３ｂを載せ置いた後に第２のばね受１２を載せ置き、第２のばね受１２にワイヤ３ｃ，３ｄを載せ置いた後に第３のばね受１３を載せ置く組立方式であるので、組立中に装置を裏返す必要がなくなり、作業性が良好になるとともに、装置を裏返す作業中にワイヤを折り曲げるおそれがなくなる。また、２本のワイヤ３ａ，３ｂを確実に固定した後に次の２本のワイヤ３ｃ，３ｄを固定する作業に移るので、作業の途中でワイヤがずれるおそれがなくなり、精度の高い装置を組み立てることができるようになる。
【００３５】
図７は、本発明による光学系駆動装置の第２の実施の形態の斜視図である。
本実施の形態は、ワイヤの代わりに板ばね３１ａ−３１ｄを使用し、それに伴って第１−第３ばね受３２−３４及びレンズホルダ３５の形状を一部変更したものである。
【００３６】
板ばね３１ａ−３１ｄの先端部３６ａ−３６ｄ（図7において、先端部３６ａ，３６ｃ，３６ｄのみを示す。）は、図７に示したようにコイルを絡げて半田できるような形状を有する。第１ばね受３２の溝３２ａ，３２ｂ、第２ばね受３３の溝３３ａ，３３ｂ及びレンズホルダ３５の溝３５ａ，３５ｂ，３５ｃ，３５ｄ（図７において溝３５ａ，３５ｃ，３５ｄのみを示す。）はそれぞれ、対応する板ばね３１ａ−３１ｄを配置できるようにその幅とほぼ同一の幅を有する。また、第２ばね受３３及び第３ばね受３４は、対応する溝３２ａ，３２ｂ，３３ａ，３３ｂにそれぞれ嵌め合わすべき突起部を有する。
【００３７】
なお、溝３２ａ，３２ｂの深さｄと板ばね３１ａ，３１ｂの厚さｔとをほぼ同一にし、第２ばね受３３の突起部を省略して、第１ばね受３２と第２ばね受３３との間に板ばね３１ａ，３１ｂを挟むこともできる。当然、溝３３ａ，３３ｂの深さと板ばね３１ａ，３１ｂの厚さとをほぼ同一にし、第３ばね受３４の突起部を省略して、第２ばね受３３と第３ばね受３４との間に板ばね３１ｃ，３１ｄを挟むこともできる。
【００３８】
本実施の形態によれば、溝３２ａ，３２ｂ，３３ａ，３３ｂ，３５ａ，３５ｂ，３５ｃ，３５ｄの平坦な底部によって板ばね３１ａ，３１ｂ，３１ｃ，３１ｄを固定することができるので、溝３２ａ，３２ｂ，３３ａ，３３ｂ，３５ａ，３５ｂ，３５ｃ，３５ｄの精度が出しやすくなり、その結果、第１−第３ばね受３２−３４の製造が簡単になる。
【００３９】
図１０は、本発明による光学系駆動装置の第３の実施の形態の斜視図である。
本実施の形態では、図７に示した光学系駆動装置から第３ばね受３４を省略し、すなわち、第１及び第２ばね受４１，４２のみを有するものである。板ばね４３ａ，４３ｂを、上記第２の実施の形態と同様にして固定し、板ばね４３ｃ，４３ｄは、第２ばね受４２の溝４２ａ，４２ｂに配置した後に接着剤を塗布することによって固定する。
【００４０】
この場合、溝４２ａ，４２ｂを比較的深くし、溝４２ａ，４２ｂにゲルを充填することによって、上記第１及び第２の実施の形態の場合とほぼ同等のダンピング効果が得られる。
【００４１】
本実施の形態によれば、上記第１及び第２の実施の形態に比べて部品点数及び製造工程が少なくなり、その結果、光学系駆動装置を廉価に構成することができる。
【００４２】
【発明の効果】
本発明によれば、光学系駆動装置組立の際に、第１配置部材、第１及び第２導電性弾性部材、第２配置部材並びに第３及び第４導電性弾性部材を順に配置するだけでよいので、装置を裏返す必要がなく、装置の片側から組み立てることができ、その結果、装置組立の作業性が良好になる。
【図面の簡単な説明】
【図１】  本発明による光学系駆動装置の第１の実施の形態の斜視図である。
【図２】  図１の光学系駆動装置の分解斜視図である。
【図３】  図１の光学系駆動装置の固定部材の分解斜視図である。
【図４】  図１の光学系駆動装置の固定部材の正面図である。
【図５】  図１の光学系駆動装置の断面図である。
【図６】  図１の第１及び第２ばね受の上面図である。
【図７】  本発明による光学系駆動装置の第２の実施の形態の斜視図である。
【図８】  図７の光学系駆動装置の固定部材の正面図である。
【図９】  図７の光学系駆動装置の固定部材の正面の一部拡大図である。
【図１０】  本発明による光学系駆動装置の第３の実施の形態の斜視図である。
【符号の説明】
１  レンズ
２  保持部材
３ａ，３ｂ，３ｃ，３ｄ  ワイヤ
４  固定部材
５，３５  レンズホルダ
５ａ，５ｂ  受部
６  フォーカスコイル
７ａ，７ｂ  トラッキングコイル
８  ボビン
８ａ，８ｂ，１３ａ，１３ｂ，２１ａ，２１ｂ  基準ピン
９  磁石
１０  アクチュエータベース
１１，３２，４１  第１ばね受
１１ａ，１１ｂ，１２ａ，１２ｂ，１４ａ，１４ｂ，１４ｃ，１４ｄ，２２ａ，２２ｂ，２２ｃ，２２ｄ，３２ａ，３２ｂ，３３ａ，３３ｂ，３５ａ，３５ｂ，３５ｃ，３５ｄ，４２ａ，４２ｂ  溝
１２，３３，４２  第２ばね受
１３，３４  第３ばね受
１５ａ，１６ａ，２０ａ，２０ｂ  基準穴
１５ｂ，１６ｂ  長穴
１７ａ，１７ｂ，１７ｃ，１７ｄ  空間
１８   ゲル
１９ａ，１９ｂ，１９ｃ，１９ｄ  充填穴
２１ａ，２１ｂ，２１ｃ，２１ｄ  突起部
２２  ジグ押さえ付け部分
３１ａ，３１ｂ，３１ｃ，３１ｄ，４３ａ，４３ｂ，４３ｃ，４３ｄ  板ばね
３６ａ，３６ｂ，３６ｃ，３６ｄ  先端部
【図１】
0003993365.tif 000002
【図２】
0003993365.tif 000003
【図３】
0003993365.tif 000004
【図４】
0003993365.tif 000005
【図５】
0003993365.tif 000006
【図６】
0003993365.tif 000007
【図７】
0003993365.tif 000008
【図８】
0003993365.tif 000009
【図９】
0003993365.tif 000010
【図１０】
0003993365.tif 000011